(57)【特許請求の範囲】
【請求項１】
放射線照射部と、前記放射線照射部から照射され被検者を通過した放射線を検出する放射線検出部と、前記放射線照射部を前記被検者の体軸方向に移動させるとともに、前記放射線照射部の移動に伴って放射線の照射方向を前記放射線検出部と対向する方向とするために前記放射線照射部を揺動させる放射線照射部移動機構とを備え、前記放射線照射部を制止させて前記被検者に対して撮影を行うプレショット撮影を実行した後に、前記放射線照射部を移動させながら前記被検者に対して複数回撮影を行うトモシンセシス撮影を実行する放射線撮影装置において、
撮影に対応した複数のプロトコルを記憶するプロトコル記憶部と、
前記複数のプロトコルのうち現在選択されているプロトコルに対応する撮影条件を表示する表示部と、
前記プロトコル記憶部に記憶された複数のプロトコルのうち時間的に連続するプロトコルに前記プレショット撮影と前記トモシンセシス撮影とが登録されていた場合に、前記プレショット撮影のプロトコルが選択されたときには、前記プレショット撮影の撮影条件とともに前記トモシンセシス撮影の撮影条件を前記表示部に表示する制御部と、
を備えることを特徴とする放射線撮影装置。
【請求項２】
放射線照射部と、前記放射線照射部から照射され被検者を通過した放射線を検出する放射線検出部と、前記放射線照射部を前記被検者の体軸方向に移動させるとともに、前記放射線照射部の移動に伴って放射線の照射方向を前記放射線検出部と対向する方向とするために前記放射線照射部を揺動させる放射線照射部移動機構とを備え、前記放射線照射部を制止させて前記被検者に対して撮影を行うプレショット撮影を実行した後に、前記放射線照射部を移動させながら前記被検者に対して複数回撮影を行うトモシンセシス撮影を実行する放射線撮影装置において、
撮影に対応した複数のプロトコルを記憶するプロトコル記憶部と、
前記プロトコル記憶部に記憶された複数のプロトコルのうち時間的に連続するプロトコルに前記プレショット撮影と前記トモシンセシス撮影とが登録されていた場合に、前記プレショット撮影のプロトコルが選択されたときには、前記プレショット撮影の撮影条件とともに前記トモシンセシス撮影の撮影条件を読み出し、前記プレショット時の撮影条件により前記トモシンセシス撮影が実行可能であるか否かを判定する制御部と、
を備えることを特徴とする放射線撮影装置。
【請求項３】
請求項１または請求項２に記載の放射線撮影装置において、
前記トモシンセシス撮影の撮影条件は、撮影距離と断層角度とを含む放射線撮影装置。
【請求項４】
請求項１または請求項２に記載の放射線撮影装置において、
前記トモシンセシス撮影の撮影条件は、撮影時間を含む放射線撮影装置。
【請求項５】
請求項１または請求項２に記載の放射線撮影装置において、
前記トモシンセシス撮影の撮影条件は、断層中心を含む放射線撮影装置。
【発明の詳細な説明】
【技術分野】
【０００１】
この発明は、トモシンセシス撮影を実行する放射線撮影装置に関する。
【背景技術】
【０００２】
被検者の断層画像を撮影するためのトモシンセシス撮影を実行するＸ線撮影装置においては、Ｘ線管が被検者の体軸方向に移動しながら、Ｘ線検出器に向けて間欠的にＸ線を照射する。このときには、Ｘ線検出器は、一度のＸ線の照射が終了するたびに、Ｘ線管とは逆方向に移動する。このような動作を繰り返すことにより、例えば、７４枚のＸ線画像が取得され、このＸ線画像に対してフィルタ補正逆投影法（ＦＢＰ：ｆｉｌｔｅｒｅｄ  ｂａｃｋ  ｐｒｏｊｅｃｔｉｏｎ）を適用することにより、Ｘ線画像が断層画像に再構築される。この断層画像は、被検者をある裁断面で裁断したときの断層像が映り込んだ画像となっている。
【０００３】
このトモシンセシス撮影の前には、プレショット撮影が実行される。このプレショット撮影時においては、Ｘ線管とＸ線検出器を静止させた状態で一枚のＸ線画像が撮影される。このプレショット撮影により、被検者のポジショニングが確認されるとともに、トモシンセシス撮影時においてＸ線管に付与される管電流やＸ線撮影の撮影時間等のＸ線条件が決定される。
【０００４】
特許文献１には、プレ撮影での撮影位置と実際のトモシンセシス撮影での撮影位置とが必ずしも一致しないため撮影位置を精度よく確認することができず、また、プレ撮影の分だけ被写体となる人が受ける被曝量が増えてしまうという問題を解決するため、プレ撮影を実行するかわりに、放射線検出手段によって撮影された複数の放射線画像のうち少なくとも一つを表示装置に表示させることにより、複数の放射線画像を連続して撮影する場合に、被曝量を増加させずに撮影位置を精度よく確認することができる放射線画像撮影装置が開示されている。
【０００５】
また、特許文献２には、被検体に放射線を照射する放射線源と、被検体を透過した放射線を検出する放射線検出手段と、放射線源を被検体の体軸方向に移動させる放射線源移動手段と、放射線源移動手段が放射線源を移動させている間に、放射線源に放射線照射を繰り返させる制御を行う放射線照射制御手段と、放射線源による放射線照射毎に放射線検出手段が出力する検出信号を用いて放射線画像を生成する画像生成手段と、画像生成手段が生成した複数の放射線画像を再構成させて放射線断層画像を取得する断層画像取得手段と、放射線源の焦点から放射線検出手段の検出面までの距離である撮影距離、放射線照射制御手段が放射線源に放射線照射を繰り返させる間における放射線源の振り角度である照射振り角度、および、放射線源の移動可能範囲からなるパラメータ群に基づいて、放射線源が放射線源の移動可能範囲を逸脱することなく放射線断層画像を取得できる放射線検出手段の位置の範囲である、放射線検出手段の撮影可能範囲を算出する撮影可能範囲算出手段と、を備えた放射線断層撮影装置が開示されている。この特許文献２に記載された放射線断層撮影装置によれば、Ｘ線管等の放射線源が移動可能範囲の外に移動して床面などに干渉することを予め回避することが可能となる。
【先行技術文献】
【特許文献】
【０００６】
【特許文献１】特開２００９−２４０４３５号公報
【特許文献２】ＷＯ２０１５／１６６５７５Ａ１
【発明の概要】
【発明が解決しようとする課題】
【０００７】
プレショット撮影を行う場合には、上述したように、プレショット撮影とトモシンセシス撮影とが連続して実行される。このとき、従来は、プレショット撮影を実行するときには、一般的に、引き続いて実行されるトモシンセシス撮影時における撮影距離は認識されていない。すなわち、プレショット撮影時にはプレショット撮影のプロトコルが選択され、プレショット撮影の撮影条件が表示される。また、トモシンセシス撮影時にはトモシンセシス撮影のプロトコルが選択され、トモシンセシス撮影の撮影条件が表示される。このため、従来、操作者は、プレショット撮影を行うときにはトモシンセシス撮影の撮影条件を認識することはできなかった。一方、プレショット撮影とトモシンセシス撮影とでは、撮影距離を一致させる必要がある。このため、操作部においてトモシンセシス撮影の撮影プロトコルを選択してその撮影距離を確認してから、再度、プレショット撮影の撮影プロトコルを選択する必要が生じる。
【０００８】
また、トモシンセシス撮影を行う場合において、Ｘ線管が移動可能な範囲については機械的に制限が生じる。トモシンセシス撮影を実行するときには、Ｘ線管はＸ線検出器に対して角度をつけてＸ線を照射するように移動するため、Ｘ線管の角度とＸ線検出器の位置によっては、Ｘ線管が移動可能な範囲を越えた位置となる場合がある。特に、Ｘ線撮影画像の拡大率を抑えるよう撮影距離を長くした場合や、断層厚を薄くするために大きな断層角度を設定した場合、あるいは、Ｘ線検出器が移動する構成において断層中心位置をＸ線検出器に近接させて設定した場合等においては、Ｘ線管の移動距離が大きくなることから、Ｘ線管が移動可能な範囲を超える可能性は高くなる。さらには、トモシンセシス撮影における撮影時間を短くした場合においては、Ｘ線管の移動速度が速くなることから、Ｘ線管を加速させるための助走距離が大きくなり、上記と同様、Ｘ線管が移動可能な範囲を超える可能性が高くなる。このため、プレショット撮影を実行したときのＸ線管やＸ線検出器の配置によっては、引き続き実行されるトモシンセシス撮影時に、撮影に必要なＸ線管の配置がＸ線管の移動可能な範囲を超えてしまうことがあり、Ｘ線管やＸ線検出器の配置を変更する必要が生ずる場合がある。
【０００９】
この発明は上記課題を解決するためになされたものであり、プレショット撮影時にトモシンセシス撮影時の撮影条件を考慮して撮影を行うことができ、トモシンセシス撮影時に放射線照射部の位置決めを再度実行することなく、すぐにトモシンセシス撮影を実行することが可能な放射線撮影装置を提供することを目的とする。
【課題を解決するための手段】
【００１０】
請求項１に記載の発明は、放射線照射部と、前記放射線照射部から照射され被検者を通過した放射線を検出する放射線検出部と、前記放射線照射部を前記被検者の体軸方向に移動させるとともに、前記放射線照射部の移動に伴って放射線の照射方向を前記放射線検出部と対向する方向とするために前記放射線照射部を揺動させる放射線照射部移動機構とを備え、前記放射線照射部を制止させて前記被検者に対して撮影を行うプレショット撮影を実行した後に、前記放射線照射部を移動させながら前記被検者に対して複数回撮影を行うトモシンセシス撮影を実行する放射線撮影装置において、撮影に対応した複数のプロトコルを記憶するプロトコル記憶部と、前記複数のプロトコルのうち現在選択されているプロトコルに対応する撮影条件を表示する表示部と、前記プロトコル記憶部に記憶された複数のプロトコルのうち時間的に連続するプロトコルに前記プレショット撮影と前記トモシンセシス撮影とが登録されていた場合に、前記プレショット撮影のプロトコルが選択されたときには、前記プレショット撮影の撮影条件とともに前記トモシンセシス撮影の撮影条件を前記表示部に表示する制御部と、を備えることを特徴とする。
【００１１】
請求項２に記載の発明は、放射線照射部と、前記放射線照射部から照射され被検者を通過した放射線を検出する放射線検出部と、前記放射線照射部を前記被検者の体軸方向に移動させるとともに、前記放射線照射部の移動に伴って放射線の照射方向を前記放射線検出部と対向する方向とするために前記放射線照射部を揺動させる放射線照射部移動機構とを備え、前記放射線照射部を制止させて前記被検者に対して撮影を行うプレショット撮影を実行した後に、前記放射線照射部を移動させながら前記被検者に対して複数回撮影を行うトモシンセシス撮影を実行する放射線撮影装置において、撮影に対応した複数のプロトコルを記憶するプロトコル記憶部と、前記プロトコル記憶部に記憶された複数のプロトコルのうち時間的に連続するプロトコルに前記プレショット撮影と前記トモシンセシス撮影とが登録されていた場合に、前記プレショット撮影のプロトコルが選択されたときには、前記プレショット撮影の撮影条件とともに前記トモシンセシス撮影の撮影条件を読み出し、前記プレショット時の撮影条件により前記トモシンセシス撮影が実行可能であるか否かを判定する制御部と、を備えることを特徴とする。
【００１２】
請求項３に記載の発明は、請求項１または請求項２に記載の発明において、前記トモシンセシス撮影の撮影条件は、撮影距離と断層角度とを含む。
【００１３】
請求項４に記載の発明は、請求項１または請求項２に記載の発明において、前記トモシンセシス撮影の撮影条件は、撮影時間を含む。
【００１４】
請求項５に記載の発明は、請求項１または請求項２に記載の発明において、前記トモシンセシス撮影の撮影条件は、断層中心を含む。
【発明の効果】
【００１５】
請求項１から請求項５に記載の発明によれば、プレショット撮影に先だってプレショット撮影の撮影条件を読み出すときに、次に実行されるトモシンセシス撮影の撮影条件が読み出されて表示され、あるいは、撮影の可否が判定されることから、プレショット撮影時にトモシンセシス撮影時の撮影条件を考慮して撮影を行うことができ、トモシンセシス撮影時に放射線照射部の位置決めを再度実行することなく、すぐにトモシンセシス撮影を実行することが可能となる。このため、トモシンセシス撮影を効率的に実行することが可能となる。
【図面の簡単な説明】
【００１６】
【図１】この発明に係るＸ線撮影装置の概要図である。
【図２】この発明に係るＸ線撮影装置の主要な制御系を示すブロック図である。
【図３】Ｘ線撮影装置によりトモシンセシス撮影を実行する状態を示す説明図である。
【発明を実施するための形態】
【００１７】
以下、この発明の実施の形態を図面に基づいて説明する。図１は、この発明に係る放射線撮影装置としてのＸ線撮影装置の概要図である。また、図２は、この発明に係るＸ線撮影装置の主要な制御系を示すブロック図である。
【００１８】
この発明に係るＸ線撮影装置は、オペレータがＸ線撮影操作を実行するための操作室１０１に設置されたコンソール部１および高電圧装置２と、被検者Ｍに対して撮影を行うための撮影室１００に設置された立位撮影スタンド３および撮影部４とを備える。撮影室１００と操作室１０１とは、隔壁１０２により遮断されている。
【００１９】
コンソール部１は、液晶表示器等から構成される表示部１１と、各種の操作を実行するためのキーボードやマウス等からなる操作部１２とを備える。表示部１１には、Ｘ線撮影画像が表示される。また、このコンソール部１は、図２に示すように、装置全体を制御する制御部１３を備える。さらに、このコンソール部１は、後述するプロトコルを記憶するプロトコル記憶部１５と、撮影条件を記憶する撮影条件記憶部１４とを備える。このコンソール部１は、図２に示すように、病院内の被検者管理システムの院内通信である放射線科情報システム（ＲＩＳ）１０３と接続されており、Ｘ線撮影のための各種の情報を放射線科情報システム１０３から読み出すことができる構成となっている。
【００２０】
なお、プロトコル記憶部１５には、一連の検査で使用される複数のプロトコルが、使用される順序に従って登録され、記憶されている。また、撮影条件記憶部１４には、各プロトコルに対応した撮影条件が記憶されている。なお、コンソール部１におけるプロトコル記憶部１５に複数のプロトコルを記憶するかわりに、放射線科情報システム１０３を介して接続された他の記憶部に一連の検査で使用される複数のプロトコルを記憶するようにしてもよい。また、撮影条件は、プロトコルが選択されるたびに、放射線科情報システム１０３から患者情報とともに読み出すようにしてもよい。ここで、プロトコルとは、一回の撮影のための、管電圧、電流、時間、焦点サイズ、グリッドの要否、測定部位等の条件をひとまとめにした情報を意味する。
【００２１】
高電圧装置２は、操作室１０１内において隔壁１０２に配設される。この高電圧装置２は、図２に示すように、タッチパネル式の液晶表示器等から構成される表示部や入力ボタン等を有する操作パネル２２と、Ｘ線撮影を開始するためのスイッチ２３とを備える。この高電圧装置２は、Ｘ線管４２の管電圧や管電流、あるいは、Ｘ線照射時間等のＸ線の照射条件を設定するためのものである。
【００２２】
立位撮影スタンド３は、図１に示すように、Ｘ線検出部３３を昇降可能に支持する昇降部３４と、衝立３５とを備える。Ｘ線検出部３３は、ブッキー部とも呼称されるものであり、その内部にフラットパネルディテクタ（ＦＰＤ）等のＸ線検出器を備える。また、この立位撮影スタンド３は、図２に示すように、Ｘ線検出部３３を昇降駆動することによりその高さ位置を変更する昇降駆動部３２を備える。なお、Ｘ線管４２はコリメータ４３とともに、この発明に係る放射線照射部を構成し、Ｘ線検出部３３は、この発明に係る放射線検出部を構成する。
【００２３】
撮影部４は、図１に示すように、撮影室１００の天井に対して互いに直交する方向に移動可能な基部４６と、この基部４６から下方に延びる支持部４５と、この支持部４５に対して昇降および回動する移動部４４とを備える。移動部４４には、Ｘ線管４２およびコリメータ４３が支持されている。このため、Ｘ線管４２およびコリメータ４３は、一体として移動可能となっている。また、Ｘ線管４２およびコリメータ４３は、移動部４４に対して、一体として揺動可能となっている。この撮影部４は、図２に示すように、Ｘ線管移動部４７を備える。このＸ線管移動部４７は、図示を省略したモータを駆動制御してＸ線検出部３３及びコリメータ４３を一体として移動させるための移動駆動部４８と、図示を省略したモータを駆動制御してＸ線管４２およびコリメータ４３を揺動させるための揺動駆動部４９とから構成されている。
【００２４】
図３は、上述したＸ線撮影装置によりトモシンセシス撮影を実行する状態を示す説明図である。
【００２５】
立位撮影スタンド３における衝立３５の前面に起立した被検者Ｍに対してトモシンセシス撮影を実行するときには、図２に示す撮影部４における移動駆動部４８の駆動により、Ｘ線管４２およびコリメータ４３を図３において二点鎖線で示す位置から一点鎖線で示す位置を介して実線で示す位置まで下降させるとともに、図２に示す立位撮影スタンド３における昇降駆動部３２の駆動により、Ｘ線検出部３３を、図３において二点鎖線で示す位置から一点鎖線で示す位置を介して実線で示す位置まで上昇させる。そして、この移動動作と同時に、図２に示す撮影部４における揺動駆動部４９の駆動により、Ｘ線管４２から照射されるＸ線の中心軸が常にＸ線検出部３３の中心方向を向くように、Ｘ線管４２およびコリメータ４３を揺動させる。
【００２６】
図３において、符号Ｌ１はＸ線管４２の移動領域を示し、符号Ｌ２はＸ線検出部３３の移動領域を示している。また、符号Ｄは、撮影距離を示している。この撮影距離Ｄは、焦点−受像面間距離（Ｓｏｕｒｃｅ  Ｉｍａｇｅ  Ｄｉｓｔａｎｃｅ：ＳＩＤ）に相当する。また、符号θは、Ｘ線管４２およびコリメータ４３を揺動させる照射振り角度となる断層角度を示し、符号Ｃは、断層中心の位置を示している。さらに、図３においてハッチングを付した領域は、Ｘ線断層画像を再構成させるためのＸ線画像を全て形成できる領域となっている。
【００２７】
トモシンセシス撮影により得られるＸ線断層画像の拡大率は、撮影距離Ｄの影響を受ける。Ｘ線断層画像の拡大率を小さくするためには撮影距離Ｄを大きくする必要があり、Ｘ線断層画像の拡大率を大きくするためには撮影距離Ｄを小さくする必要がある。また、Ｘ線断層画像の断層厚は、断層角度θの影響を受ける。Ｘ線断層画像の断層厚を薄くするためには断層角度θを大きくする必要があり、Ｘ線断層画像の断層厚を厚くするためには断層角度θを小さくする必要がある。
【００２８】
以上のようなＸ線撮影装置を利用してプレショット撮影とトモシンセシス撮影とを実行するときには、プロトコル記憶部１５からプレショット撮影のプロトコルを読み出す。このプロトコルの読み出しは、オペレータがコンソール部１における操作部１２を操作することにより実行される。このときには、このＸ線撮影装置においては、制御部１３により、引き続き実行されるトモシンセシス撮影のプロトコルでの撮影条件が、プレショットのプロトコルとリンクした状態で読み出される。また、制御部１３により、読み出された撮影条件が、表示部１１に表示される。
【００２９】
すなわち、従来のＸ線撮影装置においては、プレショットのプロトコルとトモシンセシス撮影のプロトコルとが時間的に連続する状態で登録されていたとしても、プレショットのプロトコルが選択された場合には、プレショットの撮影条件だけが読み出され、表示されていた。これに対して、このＸ線撮影装置においては、プレショットのプロトコルが選択されたときに、プレショットのプロトコルでの撮影条件だけではなく、引き続き実行されるトモシンセシス撮影のプロトコルでの撮影条件も併せて読み出され、これらの撮影条件が表示部１１に表示される。
【００３０】
読み出される撮影条件は、撮影距離Ｄと断層角度θである。また、撮影距離Ｄと断層角度θとともに、断層中心Ｃの位置とトモシンセシス撮影の撮影時間も併せて読み出される。読み出された撮影条件は、コンソール部１における撮影条件記憶部１４に記憶されるとともに、表示部１１に表示される。オペレータは、表示部１１に表示されたトモシンセシス撮影時の撮影条件を確認し、それに適合するようにプレショット撮影時の撮影条件を設定する。なお、オートポジショニング機能を備えたＸ線撮影装置においては、Ｘ線管４２およびコリメータ４３と、Ｘ線検出部３３とを、自動的に必要な場所に移動させるようにしてもよい。
【００３１】
このように、プレショット撮影に先だってプレショット撮影の撮影条件を読み出すときに、次に実行されるトモシンセシス撮影の撮影条件が読み出されて表示されることから、読み出されたトモシンセシス撮影の撮影条件を元に、プレショット撮影の撮影条件を設定することが可能となる。このため、トモシンセシス撮影を実行するときに、再度、Ｘ線管４２の位置決め等を実行する必要がなくなり、すぐにトモシンセシス撮影を実行することが可能となる。
【００３２】
例えば、トモシンセシス撮影時の撮影距離Ｄが１２０センチであった場合には、プレショット撮影時の撮影距離Ｄも１２０センチに設定される。また、必要に応じて、トモシンセシス撮影における断層角度θ、断層中心Ｃの位置やトモシンセシス撮影の撮影時間等のその他の条件を考慮してプレショット撮影の撮影条件が設定される。
【００３３】
また、読み出されたトモシンセシス撮影時の撮影条件を元に、制御部１３により、プレショット撮影のプロトコルを選択した状態において、Ｘ線管４２等が移動すべき範囲がＸ線管４２等の移動可能な範囲を越えるか否かが判断される。すなわち、制御部１３により、この状態においてトモシンセシス撮影が実行可能であるか否かが判断される。この判断は、制御部１３において、上述した特許文献２に記載されたように、Ｘ線管４２の焦点からＸ線検出部３３の検出面までの距離である撮影距離、Ｘ線管４２がＸ線照射を繰り返す間におけるＸ線管４２の振り角度である照射振り角度（断層角度）、および、Ｘ線管４２等の移動可能範囲からなるパラメータ群に基づいて、Ｘ線管４２等がＸ線管４２等の移動可能範囲を逸脱することなくＸ線断層画像を取得できるＸ線検出部３３の位置の範囲である、Ｘ線検出部の撮影可能範囲を算出する撮影可能範囲算出手段により実行される。
【００３４】
そして、Ｘ線管４２等が移動すべき範囲がＸ線管４２等の移動可能な範囲を超えてしまう場合には、表示部１１に撮影が不可能である旨の警告表示等が行われる。このため、Ｘ線管４２等が移動すべき範囲が移動可能な範囲を超えてしまうことをオペレータが認識することができ、オペレータによりＸ線管４２等の位置やその他の撮影条件を変更することが可能となる。
【００３５】
以上のように、この発明に係るＸ線撮影装置によれば、プレショット撮影時に、トモシンセシス撮影の撮影ポジショニングを併せて実行することが可能となり、プレショット撮影を実行した後に、再度、操作者が撮影室１００に入室することなく、連続してトモシンセシス撮影を実行することが可能となる。これにより、検査時間を短縮することができ、被検者Ｍおよびオペレータの負担を軽減することが可能となる。
【００３６】
なお、上述した実施形態においては、Ｘ線検出部３３が上下方向に移動するＸ線撮影装置にこの発明を適用しているが、Ｘ線検出部３３は固定されていてもよい。この場合においては、断層中心Ｃの位置がＸ線検出部３３側に配置されることになるが、上述した実施形態と同様の作用効果を得ることができる。
【００３７】
また、上述した実施形態においては、立位撮影スタンド３を使用して立位状態の被検者Ｍに対してＸ線撮影を行うＸ線撮影装置にこの発明を適用しているが、臥位状態の被検者Ｍに対してＸ線撮影を行うＸ線撮影装置にこの発明を適用してもよい。
【符号の説明】
【００３８】
１      コンソール部
２      高電圧装置
３      立位撮影スタンド
４      撮影部
１１    表示部
１２    操作部
１３    制御部
１４    撮影条件記憶部
１５    プロトコル記憶部
２２    操作パネル
２３    スイッチ
３２    昇降駆動部
３３    Ｘ線検出部
４２    Ｘ線管
４３    コリメータ
４７    Ｘ線管移動部
４８    移動駆動部
４９    揺動駆動部
１００  撮影室
１０１  操作室
１０３  放射線科情報システム
Ｍ      被検者
Ｄ      撮影距離
θ      断層角度
【図１】
0006512144.tif 000002
【図２】
0006512144.tif 000003
【図３】
0006512144.tif 000004